(57)【要約】【課題】本体内部が埃等で汚れず、掃除回数を少なくできることを目的とする。【解決手段】フィルター２と循環送風機３と、この循環送風機３から吹き出される空気を加熱するヒーター４とを設けた本体１の背面にフィルター２設け、ダクト１２と換気ＢＯＸ９を配置するという構成にしたことにより、埃を換気ＢＯＸ９から屋外へ排出することができるので、本体１内部が埃等で汚れず、掃除の回数を少なくできる浴室用乾燥機を得られる。【選択図】図１
2013120009.tif 000002
【特許請求の範囲】
【請求項１】
本体は浴室内に配置され、前記本体はフィルターと循環送風機と、この循環送風機から吹き出される空気を加熱するヒーターとを設けた本体と、吸込口と本体吹出口を設けた本体カバーとを備え、前記本体カバーの背面には前記吸込口とシャッターを設け、下面には本体吹出口を設け、さらに屋外に配置する換気ＢＯＸには換気送風機と換気カバーを備え、本体と換気ＢＯＸをつなぐダクトを備えたことを特徴とする浴室用乾燥機。
【請求項２】
本体吹出口を、壁面側に設けたことを特徴とする請求項１に記載の浴室用乾燥機。
【発明の詳細な説明】
【技術分野】
【０００１】
本発明は、浴室用乾燥機の埃掃除の手間を無くすことに関するものである。
【背景技術】
【０００２】
従来、この種の浴室用乾燥機は、浴室全体に循環流を送風して乾燥および暖房効率を高めることのできるものが知られている（特許文献１参照）。
【０００３】
以下、その浴室用乾燥機について図４を参照しながら説明する。
【０００４】
図４に示すように、上方から吸い込み下方に吹き出すように設けられる循環送風機１０１と、この循環送風機１０１から吹き出される空気を加熱するヒーター１０２を設けた本体１０３と、本体１０３の前方を覆う形状で上面には吸込口１０４を設け、下方の斜め前方には吹出口１０５を設けた本体カバー１０６とを備え、循環送風機１０１により浴室内の空気を上方から下方に向かい加熱循環せしめる構成とした浴室用乾燥機であった。
【先行技術文献】
【特許文献】
【０００５】
【特許文献１】特開２００１−１１６４５１号公報
【発明の概要】
【発明が解決しようとする課題】
【０００６】
このような従来の浴室用乾燥機においては、フィルターがないため本体１０３内部が埃等で汚れ掃除がしにくい、また、本体カバー１０６の下方の斜め前方には吹出口１０５があるため、コールドドラフト感があるという課題を有していた。
【０００７】
そこで本発明は、上記従来の課題を解決するものであり、本体内部が埃等で汚れず、コールドドラフト感を感じることが少ない浴室用乾燥機を提供することを目的とする。
【課題を解決するための手段】
【０００８】
そして、この目的を達成するために本発明は、本体を浴室内に配置し、前記本体にはフィルターと循環送風機を設け、前記循環送風機から吹き出される空気を加熱するヒーターと、吸込口と本体吹出口を設けた本体カバーとを備え、前記本体カバーの背面には前記吸込口とシャッターを設け、本体カバー下面には本体吹出口を設けた構成とし、さらに屋外に配置する換気ＢＯＸには換気送風機と換気カバーを備え、本体と換気ＢＯＸをつなぐダクトを備えたものであり、これにより所期の目的を達成するものである。
【発明の効果】
【０００９】
本発明によれば、本体を浴室内に配置し、前記本体にはフィルターと循環送風機を設け、前記循環送風機から吹き出される空気を加熱するヒーターと、吸込口と本体吹出口を設けた本体カバーとを備え、前記本体カバーの背面には前記吸込口とシャッターを設け、本体カバー下面には本体吹出口を設けた構成とし、さらに屋外に配置する換気ＢＯＸには換気送風機と換気カバーを備え、本体と換気ＢＯＸをつなぐダクトを備えという構成にしたことにより、換気運転時に、本体のフィルターについた埃を本体背面に設けた開口部、ダクトを通じ換気送風機に導かれ、換気ＢＯＸの下部に設けた換気吹出口から屋外へ吹出されることとなるので、本体内部が埃等で汚れず、フィルターの埃を屋外へ排出し、フィルターの掃除を少なくすることができる、という効果を得ることができる。
【図面の簡単な説明】
【００１０】
【図１】本発明の実施の形態１の浴室用乾燥機の側面構成図
【図２】同浴室用乾燥機の浴室の設置を示す図
【図３】本発明の実施の形態２の浴室用乾燥機の側面構成図
【図４】従来の浴室用乾燥機の側面構成図
【発明を実施するための形態】
【００１１】
本発明の請求項１記載の浴室用乾燥機は、本体は浴室内に配置され、前記本体はフィルターと循環送風機と、この循環送風機から吹き出される空気を加熱するヒーターとを設けた本体と、吸込口と本体吹出口を設けた本体カバーとを備え、前記本体カバーの背面には前記吸込口とシャッターを設け、下面には本体吹出口を設け、さらに屋外に配置する換気ＢＯＸには換気送風機と換気カバーを備え、本体と換気ＢＯＸをつなぐダクトを備えたものであり、これにより、本体のフィルターについた埃を本体背面に設けた開口部、ダクトを通じ換気送風機に導かれ、換気ＢＯＸの下部に設けた換気吹出口から屋外へ吹出されることとなるので、本体内部が埃等で汚れず、フィルターの埃を屋外へ排出し、フィルターの掃除を少なくするという作用を有する。
【００１２】
以下、本発明の実施の形態について図面を参照しながら説明する。
【００１３】
（実施の形態１）
図１および図２に示すように、浴室用乾燥機は、本体１は浴室１８内の入浴者の手がとどく位置に配置され、本体１内部にはフィルター２とシロッコファンである循環送風機３と、この循環送風機３から吹き出される空気を加熱するＰＴＣヒーターであるヒーター４を循環送風機から風が吹き出される直後に設け、本体１の下部には本体吹出口５と本体カバー６とを備え、本体カバー６の背面すなわち壁１７側には吸込口７と吸込口７とフィルター２との間にシャッター８とを設け、さらに、屋外側に配置する換気ＢＯＸ９にはシロッコファンである換気送風機１０と換気カバー１１とで構成され、本体１と換気ＢＯＸ９とをつなぐダクト１２とを備えた構成を有する。
【００１４】
また、フィルター２は本体１の下部より抜き挿しできる構成とする。
【００１５】
上記構成での浴室暖房時および換気時における風の流れについて説明する。
【００１６】
浴室暖房時は、ヒーター４をＯＮにし、そして、循環送風機３を運転し浴室１８の埃を含んだ空気を、本体１の背面から吸込口７に吸い込まれシャッター８を通ってフィルター２を通過する際にフィルター２の背面側すなわち背面側でキャッチされ、埃を含まない空気だけが循環送風機３に吸い込まれて、ヒーター４を通って本体吹出口５より浴室に吹出される（浴室暖房時の風の流れを、図１の実線矢印Ａで示す）。
【００１７】
次に、換気時は、本体１の循環送風機３は停止のまま、浴室１８の空気は、換気ＢＯＸ９の換気送風機１０に吸い込まれ、ダクト１２とつないだ本体１の背面すなわち壁１７側に設けた開口部１３を通過しダクト１２を通過して、換気送風機１０に導かれ、換気ＢＯＸ９の下部に設けた換気吹出口１４から屋外へ吹出される（換気時の風の流れを図１の破線矢印Ｂで示す）。
【００１８】
これにより、換気運転時に、埃はフィルター２の壁１７側に捕捉され、換気送風機１０の暖房時の逆の吸引力で埃が引っ張られフィルター２から埃が取れ、ダクト１２を通過し換気吹出口１４から屋外へ排出されることとなる。
【００１９】
さらに、フィルター２は本体１の下部より抜き挿しできるので、本体１の下部より入浴者１９が容易にフィルター２を取り出し掃除ができる（床から約２ｍ付近）。
【００２０】
よって、本体１内部が埃等で汚れず、また、フィルター２の埃を手間をかけずに自動で屋外へ排出し、フィルター２の掃除を少なくすることができる、という効果を奏する。
【００２１】
（実施の形態２）
図３において、図１および図２と同様の構成要素については同一の符号を付し、その詳細な説明は省略する。
【００２２】
本体吹出口５を壁１７面側に設けた構成としたものである。
【００２３】
上記構成において、浴室１８の空気を循環送風機３に導くケーシング１５を配置し、循環送風機３は反時計回り１６すなわち正面に向かって回転することで、ケーシング１５を出た空気は本体１の背面側すなわち壁１７側に吹出すことができる（浴室暖房時の風の流れを図３の実線Ｃで示す）。
【００２４】
これにより、浴室１８の空気は、吸込口７に吸い込まれシャッター８を通ってフィルター２を通過し循環送風機３に吸い込まれて、ヒーター４を通って本体１の背面側に設けた本体吹出口５より浴室の壁１７に沿って吹出されることとなるので、コールドドラフトを防止することができる、という効果を奏する。
【産業上の利用可能性】
【００２５】
本発明にかかる浴室用乾燥機は、本体内部が埃等で汚れず、埃を屋外へ排出することができるのでフィルター掃除不要の用途に適用できる。
【符号の説明】
【００２６】
１    本体
２    フィルター
３    循環送風機
４    ヒーター
５    本体吹出口
６    本体カバー
７    吸込口
８    シャッター
９    換気ＢＯＸ
１０  換気送風機
１１  換気カバー
１２  ダクト
１３  開口部
１４  換気吹出口
１５  ケーシング
１６  反時計回り
１７  壁
１８  浴室
１９  入浴者
【図１】
2013120009.tif 000003
【図２】
2013120009.tif 000004
【図３】
2013120009.tif 000005
【図４】
2013120009.tif 000006